(57)【特許請求の範囲】
【請求項１】
１つ以上の無線周波数（ＲＦ）チャンネルにわたって時分割無線データ通信を提供する通信網であって、
少なくとも２つの時間領域群に分割された複数のノード、
前記少なくとも２つの時間領域群間をインターフェースするノード群からなる少なくとも１つのバッファセグメントからなり、
前記１つ以上のＲＦチャンネルは、各フレーム中に複数のタイムスロットを含む複数のフレームに分割され、各々の前記フレーム中の所定のタイムスロットが論理チャンネルを構成し、各々の前記時間領域群は、論理チャンネルの前記タイムスロットを同期化する独立したタイミングソースを含み、前記バッファセグメントは、所定のオフセット状態に応じて他の論理チャンネルの未使用タイムスロットに前記時間領域間の論理チャンネルを動的に再割り当てすることによって、相互接続された時間領域間の通信のために論理同期を維持するように適応された通信網。
【請求項２】
請求項１記載の通信網において、前記時間領域は複数のセグメントに分割され、各々の前記セグメントは多数のノードを含み、循環トークンを使用して前記ノード間でメッセージを渡し、前記複数のセグメントは、隣接セグメントの前記タイムスロットを同期化すると共にセグメント内の前記トークンを再循環させるために少なくとも１つのセグメント間装置を含む通信網。
【請求項３】
請求項２記載の通信網において、前記セグメント間装置は、主モジュールと少なくとも１つの従属モジュールを含み、前記主モジュールは、トークンの受信に基づいて前記従属モジュールへの同期信号を発生するように適応されており、前記従属モジュールは、前記同期信号の受信後前記トークンを保持している場合のみ対応するセグメントにむけてトークンを送ることにより、前記セグメント内で周期的な論理チャンネル再同期を提供する通信網。
【請求項４】
請求項３記載の通信網において、前記独立タイミングソースはタイミング主装置ノードであり、時間領域内の全セグメントは、前記タイミング主装置モードから発せられたトークンによって同期化される通信網。
【請求項５】
請求項２記載の通信網において、前記通信網内の前記ノードは各々、唯一のノードアドレスを含み、前記ノードアドレスは、時間領域インデックス、セグメントインデックス及びノードインデックスを含み、前記セグメントインデックスは時間領域内で唯一のものであり、ノードインデックスはセグメント内で唯一のものである通信網。
【請求項６】
請求項５記載の通信網において、前記バッファセグメント内のノードが、バッファセグメントがインターフェースする最も下位にアドレスされた時間領域に対応するアドレスを有する通信網。
【請求項７】
請求項６記載の通信網において、バッファセグメントは領域間装置ノードを介して時間領域にインターフェースし、前記バッファセグメントは、制御セグメントと呼ばれる最も下位の時間領域インデックスを有する領域間装置ノードのタイミングを使用する通信網。
【請求項８】
請求項７記載の通信網において、上位の領域インデックスを有するバッファセグメントに接続された領域間装置ノードは従属セグメントと呼ばれ、前記従属セグメントは、前記制御セグメント及び前記従属セグメントの論理チャンネル間の時間オフセットを通知するように働くことができる通信網。
【請求項９】
請求項８記載の通信網において、前記従属セグメントは、さらに、２つの中間時間領域トークンの受信間に得られた連続的時間オフセットから計算された代数的クロックドリフト率を提供するように働くことができる通信網。
【請求項１０】
請求項１記載の通信網において、前記論理チャンネルの動的再割り当てのための論理チャンネルは、第１の時間領域のタイムスロットが第２の時間領域で使用される論理チャンネルとオーバラップしないように選ばれる通信網。
【請求項１１】
請求項１記載の通信網において、前記所定のオフセットはΔｔであり、減少するオフセットΔｔについて、Δｔ≧１スロットでありかつトークンが適時に受信された場合、あるいはΔｔ≧Ｔｃｈ１ ＞１スロットである（ここで、Ｔｃｈ１ は監視されるスレショールドレベルを表わす）場合は、論理チャンネルは再割り当てされない通信網。
【請求項１２】
請求項１記載の通信網において、前記所定のオフセットはΔｔであり、増加するオフセットについて、Δｔ≦１スロットでありかつトークンが適時に受信された場合、あるいはΔｔ≦Ｔｃｈ２ （ここで、２スロット＜Ｔｃｈ２ ＜３スロットであり、Ｔｃｈ２ は監視されるスレショールドレベルを表わす）である場合は、論理チャンネルは再割り当てされない通信網。
【請求項１３】
１つ以上の無線周波数（ＲＦ）にわたって無線通信網における時分割データ通信を提供する方法であって、前記通信網が互いに通信するのに適応した複数のノードを含み、前記１つ以上のＲＦチャンネルは、各フレームに複数のタイムスロットを含む複数のフレームに分割され、各々の前記フレーム中の所定のタイムスロットが論理チャンネルを構成する方法において、
前記複数のノードを少なくとも２つの時間領域群に分割するステップ、
論理チャンネルの前記タイムスロットを同期化するために各々の前記時間領域群において独立したタイミングソースを維持するステップ、
所定の時間オフセット状態に応じて他の論理チャンネルの未使用タイムスロットに時間領域間の論理チャンネルを動的に再割り当てし、それにより、相互接続された時間領域間の通信の論理同期を維持するステップからなる方法。
【請求項１４】
請求項１３記載の方法において、前記再割り当てステップは、予め決められたスレショールド以下の前記所定の時間オフセットに応じて時間オフセットを増加させる論理チャンネルに前記時間領域間で送信されるユーザーデータを割り当てるステップを含む方法。
【請求項１５】
請求項１３記載の方法において、前記再割り当てステップは、予め決められたスレショールド以上の前記所定の時間オフセットに応じて時間オフセットを減少させる論理チャンネルに前記時間領域間で送信されるユーザーデータを割り当てるステップを含む方法。
【請求項１６】
請求項１３記載の方法において、前記ノードはトークンパッシング方式により互いに通信するのに適応され、再割り当てステップは前記未使用スロットにトークンを割り当てることにより達成される方法。
【請求項１７】
請求項１３記載の方法において、前記時間領域は複数のセグメントに分割され、各々の前記セグメントは多数のノードを含み、循環トークンを使用して前記ノード間でメッセージを渡し、前記複数のセグメントは少なくとも１つのセグメント間装置を含み、さらに、隣接セグメントの前記タイムスロットを同期化すると共に、前記セグメント間装置によりセグメント内の前記トークンを再循環させるステップを含む方法。
【請求項１８】
請求項１７記載の方法において、前記セグメント間装置は、主モジュールと少なくとも１つの従属モジュールを含み、前記同期化ステップは、前記主モジュールによるトークンの受信に基づいて前記主モジュールから前記従属モジュールへ同期信号を発生するステップを含み、前記従属モジュールは、前記同期信号の受信後前記トークンを保持している場合のみ対応するセグメントにむけてトークンを送ることにより、前記セグメント内で周期的な論理チャンネル再同期を提供する方法。
【請求項１９】
請求項１７記載の方法において、前記通信網内の前記ノードは各々、唯一のノードアドレスを含み、前記ノードアドレスは、時間領域インデックス、セグメントインデックス及びノードインデックスを含み、前記セグメントインデックスは時間領域内で唯一のものであり、ノードインデックスはセグメント内で唯一のものである通信網。
【請求項２０】
請求項１９記載の方法において、前記時間領域はバッファセグメントを介して互いにインターフェースし、前記バッファセグメント内のノードは、バッファセグメントがインターフェースする最も下位にアドレスされた時間領域に対応するアドレスを有する方法。
【請求項２１】
請求項２０記載の方法において、バッファセグメントは領域間装置ノードを介して時間領域にインターフェースし、前記バッファセグメントは、制御セグメントと呼ばれる最も下位の時間領域インデックスを有する領域間装置ノードのタイミングを使用する方法。
【請求項２２】
請求項２１記載の方法において、上位の領域インデックスを有するバッファセグメントに接続された領域間装置ノードは従属セグメントと呼ばれ、さらに、前記制御セグメント及び前記従属セグメントの論理チャンネル間の時間オフセットを前記制御セグメントに通知するステップを含む方法。
【請求項２３】
請求項２２記載の方法において、前記従属セグメントは、さらに、２つの中間時間領域トークンの受信間に得られた連続的時間オフセットから計算された代数的クロックドリフト率を提供するように働くことができる方法。
【請求項２４】
請求項１３記載の方法において、前記トークンの動的再割り当てのための論理チャンネルは、第１の時間領域のタイムスロットが第２の時間領域で使用される論理チャンネルとオーバラップしないように選ばれる方法。
【請求項２５】
請求項１３記載の方法において、前記所定のオフセットはΔｔであり、減少するオフセットΔｔについて、Δｔ≧１スロットでありかつトークンが適時に受信された場合、あるいはΔｔ≧Ｔｃｈ１ ＞１スロットである（ここで、Ｔｃｈ１ は監視されるスレショールドレベルを表わす）場合は、論理チャンネルは再割り当てされない方法。
【請求項２６】
請求項１３記載の方法において、前記所定のオフセットはΔｔであり、増加するオフセットについて、Δｔ≦１スロットでありかつトークンが適時に受信された場合、あるいはΔｔ≦Ｔｃｈ２ （ここで、２スロット＜Ｔｃｈ２ ＜３スロットであり、Ｔｃｈ２ は監視されるスレショールドレベルを表わす）である場合は、論理チャンネルは再割り当てされない方法。
【請求項２７】
請求項１３記載の方法において、時間フレームはｎ個のタイムスロットを含み、ノードは、前記トークンを伝達する前にｎ−１個のタイムスロットを待ち受ける方法。
【発明の詳細な説明】
【０００１】
【発明の属する技術分野】
本発明は、無線データ通信の分野に関し、特に、無線データ伝送に使用されるタイミング装置及び方法に関する。
【０００２】
【従来の技術及び発明が解決しようとする課題】
現行の無線パケットデータシステムは、厳密に言えば、ユーザーデータの伝送のために固定タイムスロット法を使用している。すなわち、ユーザーデータは、システムを通してパケットデータ伝送のための伝送ストリーム中のあるタイムスロットに不変に割り当てられている。したがって、無線システム内のデータ伝送のために改善された時間同期を提供するどんな努力も、より高価なデザイン成果に至るこの不変のタイムスロット割り当てを考慮しなければならない。さらに、無線パケットデータシステムの新しい特徴やサービスの開発は、固定タイムスロットに徹底的に固執することにより生まれる非融通性のために妨げられていた。
【０００３】
また、現行の時分割アクセスシステムは、一般にクロックと呼ばれる中央タイミングソースを必要とする。（多数のタイムスロットを含む）どのタイムセグメントもこの中央クロックを守らなければならないので、増加される通信トラフィックに便宜を図る将来のシステム開発は、この中央タイミング方式との互換性のために制限されている。
【０００４】
したがって、固定タイムスロット及び中央タイミングクロックと無関係なより融通性のある無線時分割アクセス法が要求されている。
【０００５】
【課題を解決するための手段】
本発明は、固定タイムスロットまたは中央タイミングメカニズムに依存することなく無線パケットデータ伝送を提供する装置及び方法である。通信網で利用可能な無線周波数（ＲＦ）チャンネルは時間フレームに分割され、この時間フレームはさらにタイムスロットに分割され、各フレームにおける対応する１個のタイムスロットは、ユーザーパケットデータを運ぶための論理チャンネルを定義する。通信網は少なくとも２つの時間領域群に分割された複数のノードを含み、時間領域群はセグメントに分割される。各々の時間領域群は、時間領域内の論理チャンネルのタイムスロットを同期化するための独立したタイミングソースを含み、ここでは、ノード間の通信は、トークンパッシング方式のようなデータメッセージング方式によって達成される。バッファセグメントは時間領域群間をインターフェースする。バッファセグメントは、所定のオフセット状態に応じて第１の時間領域の論理チャンネルから他の論理チャンネルの未使用のタイムスロットにトークンを動的に再割り当てすることにより、相互接続された時間領域間の通信の論理同期を維持する。動的再割り当てのための論理チャンネルは、第１の時間領域のタイムスロットが第２の時間領域で使用される論理チャンネルとオーバーラップしないように選ばれる。
【０００６】
本発明のより完全な理解は、図面と共に以下の説明の考察から得ることができる。
【０００７】
【発明の実施の形態】
本発明は、無線パケットをベースにした通信網におけるユーザーデータ伝送のための動的時分割アクセスを提供する装置及び方法である。本発明は、多数のタイムスロットからなるフレームに分割された１つ以上の単一無線周波数（ＲＦ）チャンネルを使用し、ここでは、１組の対応するタイムスロットは論理データチャンネルを発生する。本発明の動的時分割アクセス方式のタイムスロットは、短いタイムスロット持続時間に適応するように論理チャンネルのタイムスロット当たり少量のデータを運ぶ。本発明は、特に、拡張されたノード間距離と低データトラフィックを伴う配置の無線構内情報通信網（ＬＡＮ）タイプが要求される場合に、無線システムに使用するのに適している。本発明は、一方のノードから他方のノードへデータユニットの伝送のための無線チャンネル使用法について模範的な運搬媒体として説明される。当業者には理解されるだろうように、運搬媒体のアクセスレイヤは２つのサブレイヤに分割され、第１のサブレイヤは空気インターフェースの物理的性質を取り扱い、また、第２のサブレイヤは、トークンパッシングメカニズムを使用してデータユニットを一方のノードから隣接した次のノードへ送る。
【０００８】
図１を参照すると、本発明にしたがって実行された無線通信網１００の模範的な一実施例が示されている。図１に示されているように、網１００は複数の時間領域１０２に分割され、ここでは、各時間領域１０２は、所定数のノード１０４、例えば、網の通信トラフィックを送受信するのに適した基地局を含む。説明されるだろうように、各時間領域内のノードは、バッファセグメント１０６を介して他の時間領域のノードと通信する。理解されるだろうように、本発明は時分割伝送メカニズムを使用しているので、ソースクロックが必要とされる。しかしながら、網の相互接続された時間領域は各々、独立したクロックソースで動作する。これは、網全体が１つのクロックに頼らないようにするのに好都合である。したがって、ノード１０４は時間領域に分類され、ここでは、その時間領域内のあらゆるノードは、タイミング主装置（ＴＭＤ）１０８として宣言されたノードからそのチャンネル／スロットタイミングを引き出す。１つのＴＭＤ１０８は各時間領域１０２のための存在している。
【０００９】
時間領域１０２内で、網ノード１０４は、目に見えないＬＡＮケーブルと類似したものとして感がることができるセグメントに共に分類される。セグメントは、中間セグメント装置（ＭＳＤ）１１０と呼ばれる１つ以上の汎用ノードから構成される。これらのＭＳＤは、セグメント間装置（ＩＳＤ）１１２と呼ばれる特定機能ノードに相互接続される。
【００１０】
セグメントは、循環するトークンを使用してノード間でメッセージを渡す。セグメント当たりのノード数は、トークンの循環を最適にするように制限される。ＩＳＤノード１１２の役割は、時間領域の隣接セグメントの論理通信チャンネル内のタイムスロットを同期させ、それ自身のセグメント内にトークンを送り戻すことにある。
【００１１】
所定のタイミング主装置１０８を使用して、それ自身のタイミング主装置で始まるセグメント内の全ノードは、タイミング主装置１０８から出されたトークンを使用して同期化され、次いでＩＳＤ１１２によって送られる。トークンパッシングは、網例えばＬＡＮのアクセスを、この場合にはどのノードが送信するのを許されるかを決定する特定信号の使用により、制御する周知の方法である。実際には短いメッセージであるトークンは、ノードからノードへ時間セグメントを横切って渡される。理解されるだろうように、トークンを持つノードだけが、情報を送信する権利を有する。ノードがトークンを受信しかつ送信すべき情報を持っていない場合は、トークンはアドレス順に次のノードに渡される。
【００１２】
本発明によれば、時間領域１０２は内部セグメントで形成されるどんなループを含まない。これは、本発明の時分割アクセス法がトークンの受信に頼り、形式上のクロックソースに頼らないので、トークン同期化をループ内で保証することができないからである。
【００１３】
言及したように、バッファセグメント１０６の役割は、２つ以上の時間領域１０２間のインターフェースを提供することにある。本発明の好適な実行では、特定のバッファセグメントは、２つの中間領域装置（１１４）、１つは各時間領域からのもの、によって境界が設けられている。次いで、バッファセグメントは、ＩＤＤ装置の１つの論理チャンネルを使用する。採用された取り決めは、最下位のアドレスを有する時間領域のチャンネル（タイムスロット）同期化を使用することにある。この論理チャンネルは、対応するタイムスロットがＩＤＤに接続された他の時間領域で使用されている論理チャンネルとオーバーラップしないような仕方で選ばれる。
【００１４】
次に図２を参照すると、図示の網２００のために実行可能な模範的なアドレッシング方式が示されている。図２及び図２Ａに示されているように、各時間領域１０２は、唯一のシステムワイドアドレスすなわち領域インデックス（ＤＩ）２０９を受信し、時間領域内のあらゆるセグメントは、唯一のセグメントアドレスすなわちセグメントインデックス（ＳＩ）２１０を受信する。同一ラインに添って、セグメント内の各ノード（または装置）は唯一の装置インデックスまたはノードインデックス（ＮＩ）２１１を受信する。したがって、図２Ａに示されるようなノードアドレスは、ＤＩ，ＳＩ及びＮＩを含む。図示のように、セグメント間装置（ＩＳＤ）１１２、領域間装置（ＩＤＤ）１１４及びタイミング主装置（ＴＭＤ）１０８ノードは、１つ以上のセグメントにインターフェースすることができるので、時間領域内に多数の異なるアドレスを持つことができる。バッファセグメント、例えば、ノード２０２，２０３及び２０４を含むバッファセグメント２０７と、ノード２０５及び２０６を有するバッファセグメント２０８は、最下位のアドレスを有する時間領域に属し、この時間領域に対応するセグメントアドレスを有する。例えば、図２に示されるように、バッファセグメント２０８のノード２０３は、より低くアドレスされた時間領域：０１のための領域インデックス（ＤＩ）０１を伴うアドレスを有する。
【００１５】
次に図３を参照すると、本発明に関連して使用される模範的な時間フレーム３００が示されている。図示のように、ＲＦリンクは多数の時間フレーム３００に分割され、時間フレーム３００自体は、Ａ，Ｂ，Ｃ及びＤとして示される等しい長さのタイムスロット３０２に分割されている。明らかになるだろうように、フレーム３００当たり最小限の４タイムスロットが、保証されるべき中間時間領域通信のために必要とされる。したがって、以下の説明はフレーム当たり４タイムスロットの配置を仮定しているが、当業者により理解されるだろうように、フレーム当たりもっと多くのスロットを使用することができる。時間フレーム３００中の各タイムスロットＡ，Ｂ，Ｃ及びＤは論理チャンネルを表わし、したがって図示のように、４つまでの論理チャンネルを１つのＲＦチャンネルで使用することができる。フレーム当たりのタイムスロット３０２の数は、アプリケーションによって決まり、１つのセグメント間装置（ＩＳＤ）装置から発するセグメントの最大数を指示する。同様に、時間フレームの長さ、したがってタイムスロットの長さもアプリケーションによって決まる。本発明では、フレームの長さは、ノードが次のノードにトークンを送ることができるようにトークンを受信後待つ必要がある休止時間に一致する。
【００１６】
したがって、フレームの長さと、タイムスロットの数と、トークンの長さには関係がある。所定のフレーム長に対して、タイムスロットが少なくなればなるほど、メッセージ長が長くなり、また、所定数のタイムスロットに対して、フレーム長が長くなればなるほど、メッセージ長及び休止時間が長くなる。
【００１７】
時間領域内の異なるセグメント間の無線通信のために、論理チャンネル使用は、図４に示されるようにセグメント間装置（ＩＳＤ）４００で同期化される。ＩＳＤ４００は、いくつかのモジュール、すなわち、主モジュール４０２と数個の従属モジュール４０３，４０４，４０５から構成される。図示のように、主モジュール４０２は、チャンネルＡのＴＭＤノード４０８に最も近いセグメント４０６とインターフェースするが、従属モジュールは、チャンネルＢ，Ｃ，Ｄの他のセグメントとインターフェースする。ＩＳＤノード４００の役割は、２つ以上のセグメント間の論理チャンネル使用を同期化することにある。図４と共に図５を参照すると、本発明の同期化メカニズムが示されている。図示のように、ＩＳＤノードがその主モジュールでトークンを受信すると、主モジュールは、それぞれの論理チャンネルによる使用のためにその従属モジュールの１つ１つに対してＳＹＮＣ信号５０２を発生する。次いで、従属モジュールは、すでにトークンを保持している場合は、ＩＳＤ主モジュール４００からのＳＹＮＣ信号５０２の受信後に、対応するセグメントに向けてトークンを送ることだけができる。この手順は、周期的なチャンネル再同期化を確実にするのに役立つ。
【００１８】
トークンが受信されると、論理チャンネルのノードは、トークンを渡す前に所定の時間の長さ待機するだろう。この説明に関して、所定時間は３タイムスロットになるだろう。しかしながら、トークンがセグメント内のその一周伝搬に添って進んでいる間に、理想的なタイムスロット整列にドリフトすなわちオフセットが発生することがある。図６は、２つの中間セグメント装置（ＭＳＤ）６０２，６０３を有するセグメントのタイムスロット整列におけるこのドリフトを示す。図からわかるように、理想的なタイムスロット整列からドリフトが生じたとしても、セグメント内の各ノードは、トークンを送受信するためにＩＳＤ従属ノード６０４から受け継がれた相対的タイミングを保つ。また、ＩＳＤ主モジュール６０１がＴＭＤに最も近いセグメントからトークンを受信すると、ＩＳＤは、ＩＳＤが制御する他のセグメントへのトークン伝送を再整列する。この再整列は、対応するトークン（及びＳＹＮＣ信号）がこれらのセグメントで受信される時に実施される。この手順は、好適に、タイムスロット整列における最小のドリフトを保証する。理解されるだろうように、ＴＭＤノードの同期化手順は、ＴＭＤが常にその内部クロックでトークンの伝送を再同期化しているので、多少異なっている。
【００１９】
中間領域時分割アクセスは、時間領域が１つまたはいくつかのバッファセグメントを介してインターフェースするという点で、バッファセグメントにより促進される。確立された取り決めは、バッファセグメントが、制御セグメントと呼ばれる、最も下の時間領域アドレス（ＤＩ）を有するセグメントのタイミングを常に使用するということである。理解されるだろうように、バッファセグメントは、インターフェースする時間領域クロック間に相対的なドリフトがある場合には使用されるタイムスロットを変更しないので、他のセグメントのどれとも干渉しない。すなわち、２つの時間領域間の同期を維持するために、バッファセグメントは、相互接続する時間領域間の時間オフセットに応じて未使用タイムスロットにトークンを動的に再割り当てしなければならない。図示のように、本発明のバッファセグメントは、スロットタイミングを供給する制御セグメントで使用されなかった３つのタイムスロットのどれかを使用することができる。ここでは、バッファセグメントとインターフェースする他の時間領域のセグメントは従属セグメントと呼ばれる。
【００２０】
図７を参照すると、従属セグメント７０２と制御セグメント７０３間をインターフェースするバッファセグメント７０１が示されている。図示のように、より下の時間領域アドレス（ＤＩ）を有するセグメント、すなわち制御セグメント７０３はチャンネルＡ  ７０４を使用し、より高いＤＩアドレスを有する従属セグメント７０２はチャンネルＣ′７０５を使用する。図示のように、最少の時間量が２つの時間領域をインターフェースするのに利用可能な場合の、最悪の場合のシナリオが存在する。図８からわかるように、従属セグメント７０２がＡ′またはＢ′チャンネルのどちらかを使用中であった場合、バッファセグメントは、それぞれ、ＢまたはＣ、ＣまたはＤの２つのチャンネル間で使用の選択を行なうだろう。しかしながら、この場合には、チャンネルＤ  ７０６だけを使用することができる。図８は、バッファセグメントの初期チャンネル割り当てを示し、ここでは、スロットタイミングは同期されていない。図からわかるように、チャンネルＤは、従属セグメントチャンネルＣ′と干渉しない唯一の自由なチャンネルである。
【００２１】
本発明によれば、バッファセグメントはクロックドリフトの問題を緩和するためのメカニズムを含み、これは非同期チャンネルの位置を乱さないだろう。説明したように、バッファセグメントは、どんなタイミング同期も持たない、したがって、相対的スロットタイミングがドリフトすると共にこのインターフェースのために使用される論理チャンネルの変更が必要になるだろう、２つの時間領域にもインターフェースする。本発明では、従属ＩＤＤノードは、制御ＩＤＤに時間オフセット情報Δｔを通知する。この時間オフセットは、バッファセグメントチャンネルを従属セグメントチャンネルから分離する距離を示す。また、従属ＩＤＤノードは、制御ＩＤＤに、２つの中間時間領域トークンの受信の間に得られた連続する時間オフセットから計算された代数的クロックドリフト率も提供する。根性法により、制御ＩＤＤノードは、受信した時間オフセットΔｔに頼ることによって論理チャンネルを切り替えることができる。論理チャンネルの切り替えは、制御ＩＳＤ装置が、クロックのドリフトが重大になった、すなわち臨界スレショールドに達したことを検出した時に起こる。
【００２２】
本発明の好適な実施例では、非切り替え条件は以下の時間オフセットΔｔで表わされるだろう。減少するオフセットΔｔの場合には、Δｔ≧１スロットでありかつトークンが適時に受信されたならば、または、Δｔ≧Ｔｃｈ１ ＞１スロットであれば、チャンネルは切り替えられないだろう。Ｔｃｈ１ （及びＴｃｈ２ ）は、制御ＩＤＤノードが返送トークンが見逃されるやいなや論理チャンネル切替を開始するために監視している臨界値を表わす。図９に示されるように、時間オフセット９０１が減少しているならば、制御ＩＤＤは、次の自由チャンネル、この場合にはチャンネルＢ  ９０２、に切り替えるために１タイムスロットに達するようにΔｔ  ９０１の間待たなければならない。減少する時間オフセットΔｔがＴｃｈ１ より小さく、かつ返送トークンがそのスロットを見逃した場合は、制御ＩＤＤは同様にチャンネルＢに切り替えなければならない。
【００２３】
増加するΔｔの場合には、Δｔ≦１スロットでありかつトークンが適時に受信されたならば、または、Δｔ≦Ｔch2 （ここで、２スロット＜Ｔch2 ＜３スロット）ならば、トークンは再割り当てされないだろう。図１０に示されるように、時間オフセット１００１が増加している場合は、制御ＩＤＤは、次の自由チャンネル、この場合にはチャンネルＤ  １００２、に切り替えるために３タイムスロットに達するようにΔｔの間待機する。増加する時間オフセットΔｔがＴch2 より大きく、かつ返送トークンがそのスロットを見逃した場合は、制御ＩＤＤは同様にチャンネルＤに切り替えなければならない。
【００２４】
従属ＩＤＤノードは、その論理チャンネルタイムスロットの終わりにオフセットのタイミングを再スタートする。したがって、このＩＤＤノードは、説明した中間時間領域手順を支援するために２つの独立した中断駆動されるタイマーと１つの独立したカウンタとを必要とする。ＩＤＤはフレームごとにオフセットを計算し、領域間トークンを受信する度にオフセット取得を再同期化するが、当業者により理解されるだろうように、再同期化は余り頻繁に行なわなくても良い。従属ＩＤＤは、得られた最後のオフセットと現在のクロックドリフト率とを、返送する領域間トークン中に含む。理解されるだろうように、この率は、チャンネル切替決定を改善するために任意に使用することができる。
【００２５】
上記のことから、図面に関して説明された実姉例は模範的なものにすぎず、当業者は本発明の精神及び範囲を逸脱することなく示された実施例に変更や修正を行なうことができることがわかる。このような変更や修正はすべて、付随の特許請求の範囲で定義されるような本発明の範囲内に含められるべきものである。
【図面の簡単な説明】
【図１】本発明にしたがって説明されるような無線通信網の模範的な実施例を示す。
【図２】本発明にしたがって使用される模範的なアドレス方式を示す。
【図２Ａ】本発明にしたがって使用される模範的なアドレス方式を示す。
【図３】本発明による論理チャンネルを表わす時間フレーム図である。
【図４】本発明によるタイミング主装置とセグメント間装置の機能図を示す。
【図５】本発明によるセグメント間同期化メカニズムを示す線図である。
【図６】本発明によるセグメント間同期化メカニズムを示す線図である。
【図７】制御セグメントと従属セグメント間をインターフェースする時のバッファセグメントの一実施例を示す。
【図８】本発明によるタイムスロット割り当てにおける時間オフセットを示すタイミング図である。
【図９】タイムスロット割り当てにおける交互に減少する時間オフセットを示すタイミング図である。
【図１０】タイムスロット割り当てにおける交互に増加する時間オフセットを示すタイミング図である。
【図１】
0003970389.tif 000002
【図２】
0003970389.tif 000003
【図２Ａ】
0003970389.tif 000004
【図３】
0003970389.tif 000005
【図４】
0003970389.tif 000006
【図５】
0003970389.tif 000007
【図６】
0003970389.tif 000008
【図７】
0003970389.tif 000009
【図８】
0003970389.tif 000010
【図９】
0003970389.tif 000011
【図１０】
0003970389.tif 000012